(57)【特許請求の範囲】
【請求項１】
既設管の接続口に副弁を接続し、該副弁に接続管を介して連結された空気弁における副弁の交換方法であって、前記接続管内の流体を凍結させて流体の流れを遮断し、この状態で前記接続管に空気弁に代えて、操作軸を有する閉塞部材を前記操作軸が挿通した状態で収納した収納ケースを前記接続管に接続し、次に該閉塞部材を前記収納ケース内より解凍された接続管そして副弁に挿通させて前記既設管の接続口内に挿入し、前記操作軸を介して操作される閉塞部材により接続口を閉塞し、この状態で前記接続口から前記副弁およびその上部を取外し、次に前記既設管の接続口に新たな副弁を前記操作軸を挿通させて取付け、前記副弁上方を収納ケースで密封した後、前記操作軸により前記閉塞部材を開放させ、引き上げて前記収納ケース内に収納し、前記新たな副弁を閉塞した状態で接続管と空気弁を取付けることを特徴とする空気弁用副弁の交換方法。
【請求項２】
既設管の接続口に副弁を接続し、該副弁に接続管を介して連結された空気弁における副弁の交換方法であって、前記接続管内の流体を凍結させて流体の流れを遮断し、この状態で前記接続管に空気弁に代えて作業弁を取付け、操作軸を有する閉塞部材を前記操作軸が挿通した状態で収納した収納ケースを前記作業弁に接続し、次に該閉塞部材を前記収納ケース内より作業弁、解凍された接続管そして副弁に挿通させて前記既設管の接続口内に挿入し、前記操作軸を介して操作される閉塞部材により接続口を閉塞し、この状態で前記接続口から前記副弁およびその上部を取外し、次に前記既設管の接続口に新たな副弁を前記操作軸を挿通させて取付け、前記副弁上方を収納ケースで密封した後、前記操作軸により前記閉塞部材を開放させ、引き上げて前記収納ケース内に収納し、前記新たな副弁を閉塞した状態で接続管と空気弁を取付けることを特徴とする空気弁用副弁の交換方法。
【請求項３】
前記副弁、新たな副弁および作業弁は、前記操作軸が挿通可能であることを特徴とする請求項１または２に記載の空気弁用副弁の交換方法。
【発明の詳細な説明】
【０００１】
【発明の属する技術分野】
本発明は、空気弁用副弁の交換方法に関し、特に既設管の接続口に副弁を接続し、該副弁に接続管を介して連結された空気弁において、接続管内の流体を凍結させることによりその周囲を密閉ケースを用いて囲繞することなく、既設管内の流体を遮断せずに作動不良となった副弁を新たな副弁と交換する空気弁用副弁の交換方法に関する。
【０００２】
【従来の技術】
従来、既設管の接続口に副弁を取付け、この副弁に接続管を介して空気弁を取付けた構成のものにおいて、空気弁等を交換あるいは保守、点検等のために接続管に対して脱着する場合、空気弁は副弁を閉塞状態にしてから外される。
【０００３】
ところが、副弁が故障して作動不良となった場合は、空気弁の交換のために副弁を既設管の接続口から外さなければならず、副弁を既設管の接続口からその副弁が連結されている既設管のストップバルブを閉塞して流体の流れを遮断してから副弁と共に接続管、空気弁を外した後、新たな副弁と共に空気弁を既設管の接続口に連結していた。
【０００４】
【発明が解決しようとする課題】
この為、例えば既設管が水道本管の場合には、空気弁の交換に際して所定の断水区域が設定され、工場、家庭およびオフィス等への供給が中断されることにより需要者には不都合が強いられる問題を有する。
【０００５】
そこで、空気弁等の管接合部材を不断水状態で交換する装置として、例えば特開平６−２４９３８６号公報のものが提案されている。
【０００６】
この装置は、管接合部材が既設管に取付けるフランジと共に密閉ケースにより囲繞され、密閉ケースの外側に配設された押圧維持機構の螺軸先端のクサビ状の押圧具を密閉ケースの側面より内部へ貫通させてフランジに対し半径方向へ移動することにより、フランジの側面を押圧しクサビ効果によりフランジをクランプし密閉状態を維持している。
【０００７】
この状態でフランジのボルトを密閉ケースの上部開口より取外した後、密閉ケースの上端に管接合部材の着脱機構を内挿した上部密閉ケースを液密に取付ける。
【０００８】
次に、管接合部材を着脱機構より上部密閉ケース内に移動し、下部の密閉ケース開口部を開閉機構により遮蔽した上で管接合部材を上部密閉ケースより外部へ取出すようにしたものである。
【０００９】
しかしながら、この種の装置は、管接合部材を液密に囲繞する密閉ケースの取付け、取外し作業が必要となり、さらに管接合部材の交換作業は密閉ケース内で外部からの操作により行わなければならないため、取付け、取外し作業が困難で確実な取付ができないばかりか外部から取付け状態の確認をすることもできず、従来装置のように、押圧維持機構は左右一対のクランプでフランジの密閉が維持されているだけであるため、ボルトを外した後に何等かの作用力で上部の管接合部材が転倒する危険があり、作業能率も極端に低下する問題を有していた。
【００１０】
本発明は、上記問題点を解決するためになされたもので、接続管を凍結すると共に既設管の接続口を外部からの操作により開閉させることにより、既設管内の流体が不断流のまま周囲を密閉ケース等で囲繞せずに空気弁用副弁を簡単な操作で、かつ安全に交換することができる空気弁の副弁交換方法を提供することを目的としている。
【００１１】
【課題を解決するための手段】
請求項1の発明に係る空気弁用副弁の交換方法は、既設管の接続口に副弁を接続し、該副弁に接続管を介して連結された空気弁における副弁の交換方法であって、前記接続管内の流体を凍結させて流体の流れを遮断し、この状態で前記接続管に空気弁に代えて、操作軸を有する閉塞部材を前記操作軸が挿通した状態で収納した収納ケースを前記接続管に接続し、次に該閉塞部材を前記収納ケース内より解凍された接続管そして副弁に挿通させて前記既設管の接続口内に挿入し、前記操作軸を介して操作される閉塞部材により接続口を閉塞し、この状態で前記接続口から前記副弁およびその上部を取外し、次に前記既設管の接続口に新たな副弁を前記操作軸を挿通させて取付け、前記副弁上方を収納ケースで密封した後、前記操作軸により前記閉塞部材を開放させ、引き上げて前記収納ケース内に収納し、前記新たな副弁を閉塞した状態で接続管と空気弁を取付けることを特徴としている。
請求項２の発明に係る空気弁用副弁の交換方法は、既設管の接続口に副弁を接続し、該副弁に接続管を介して連結された空気弁における副弁の交換方法であって、前記接続管内の流体を凍結させて流体の流れを遮断し、この状態で前記接続管に空気弁に代えて作業弁を取付け、操作軸を有する閉塞部材を前記操作軸が挿通した状態で収納した収納ケースを前記作業弁に接続し、次に該閉塞部材を前記収納ケース内より作業弁、解凍された接続管そして副弁に挿通させて前記既設管の接続口内に挿入し、前記操作軸を介して操作される閉塞部材により接続口を閉塞し、この状態で前記接続口から前記副弁およびその上部を取外し、次に前記既設管の接続口に新たな副弁を前記操作軸を挿通させて取付け、前記副弁上方を収納ケースで密封した後、前記操作軸により前記閉塞部材を開放させ、引き上げて前記収納ケース内に収納し、前記新たな副弁を閉塞した状態で接続管と空気弁を取付けることを特徴としている。
この特徴により、副弁と空気弁との間に介装された接続管内の流体を凍結して遮断し、接続管に空気弁に代えて閉塞部材を装着した後、解凍後の接続管を通して接続口に挿入された閉塞部材で既設管の接続口が閉塞される。そのため、既設管の接続口に取付けられている作動不良となった副弁を、既設管内の流体が不断流のまま密閉ケース等で周囲を囲繞することなく、既設管の接続口に作動不良となった副弁に代えて新たな副弁を簡単な操作で取付け、この新たな副弁に接続管と空気弁を取付けることが可能となり、作業能率を向上させることができる。
【００１３】
更に、新たな副弁に接続管を連結しておくことにより、将来、空気弁または副弁が故障した場合でも、接続管を凍結等により凍結させて接続管内の流体の流れを遮断することができるので、既設管内の流体が不断流のまま密閉ケース等で周囲を囲繞することなく、既設管の接続口に作動不良となった副弁に代えて新たな副弁を簡単な操作で取付け、この新たな副弁に空気弁を取付けることが可能となり、作業能率を向上させることができる。
【００１４】
本発明の空気弁用副弁の交換方法は、前記副弁、新たな副弁および作業弁は、前記操作軸が挿通可能であることを特徴としている。
この特徴により、操作軸に副弁、接続管、作業弁そして収納ケースを液密に挿通することができるので、既設管の接続口に挿入された閉塞部材の開閉操作を外部より容易に行うことができる。
【００１５】
【発明の実施の形態】
以下、実施の形態を挙げ図面に基づいて本発明を説明する。
【００１６】
図１〜図９は、本発明の空気弁用副弁の交換方法の一実施形態を示す工程図である。
【００１７】
図１は、既設管の接続口に副弁、接続管を介して空気弁が取付けらている状態を示す工程図である。図１において、１は既設管である水道本管を示し、２は空気弁を示す。
【００１８】
この空気弁２は、水道本管１の接続口３に接続された副弁４と、この副弁４より上部に延びる接続管である直管５を介して水密に取付けられている。これらは通常は地中に埋設されており、これら副弁４、直管５および空気弁２は、作業空間を構成する人孔内に収容されている。
【００１９】
次に、図２は接続管に凍結装置を装着した状態の工程図を示す。副弁４と空気弁２との間に介装された直管５は、後述する凍結装置を装着するに十分な長さを有している。
【００２０】
そこで、断熱性の材質で構成された凍結装置の一部である筐体６を、直管５の外周を囲繞する。そして、この筐体６には、例えば地上に設置された図示しない冷媒容器に冷媒供給管７を接続する。
【００２１】
ここで、本実施例の作業に当り、まず直管５内に水が存在しているか否かの確認が行われる。この確認は空気弁の作動状態等により容易に確認が可能であり、水が確認されると、冷媒容器より例えば液体窒素等の冷媒が冷媒供給管７を通して筐体６内に供給される。
【００２２】
供給された液状の冷媒は筐体６内に充満されて気化され、その気化熱により直管５内の水道水が凍結して氷壁１３を形成され、この氷壁により直管５内の水道水の流れが遮断される。
【００２３】
直管５内の水道水は、流動量が少なく滞留しているため容易に凍結され、氷壁１３を形成することにより水位の上昇移動により生ずる水流を遮断することができる。このように、直管５内の水道水を凍結して流体の流れを阻止できるので、空気弁または副弁の交換に際し、この直管５を穿孔加工して開閉弁等を取付ける必要がないため、この直管５を繰返し再使用することができる。
【００２４】
次に図３の工程図に示すように、凍結により遮断された直管５から空気弁２を外し、この直管５に空気弁２に代えて作業弁８（例えばボール弁）を接続する。ここで、作業弁８を閉塞し、この状態で直管５内の氷壁を解凍する。
【００２５】
次に、図４の工程図に示すように、直管５上部の作業弁８にカップ状の収納ケース９を接続し、筒体９の頂部より操作軸１０を液密に挿通させてこの操作軸１０下端の閉塞部材１１を収納ケース９内に収納する。
【００２６】
ここで、閉塞部材１１は、ゴム等の筒状の弾性体で構成され、操作軸１０の操作により軸方向に伸長、収縮するように構成されており、これが押圧されると直径方向に膨脹し管内部を閉塞するように構成されている。
【００２７】
次に図５の工程図に示すように、閉塞部材１１を筒体９内より下降させて作業弁８および解凍された直管５そして副弁４を挿通して水道本管１の接続口３内に挿入する。
【００２８】
閉塞部材１１は、外部からの図示しないハンドル操作により操作される操作軸１０により接続口３を閉塞し、この状態で接続口３から副弁４、直管５そして筒体９を操作軸１０を通して取外し、切離された水道本管の接続口３に新たな副弁１２を連結する作業に備えられる。
【００２９】
この場合、作業弁８および副弁４は例えばボール弁等の弁で構成され、操作軸１０および閉塞部材１１が挿通可能な構成になっている。このため、操作軸１０により作業弁８、直管５および副弁４を水道本管１の接続口３に対し脱着することができると共に、接続口３内に挿入された閉塞部材１１を外部から操作軸１０を介して容易に開閉操作することができる。
【００３０】
接続口３内が密閉されると、図６の工程図に示すように作動不良となった副弁４は、直管５、作業弁８および筒体９と共に操作軸１０を通して取り外される。
【００３１】
次に、図７の工程図に示すように切離された接続口３には、新規の副弁１２が操作軸１０を通して取付けられ、同時にこの新規の副弁１２に直管５および筒体９が操作軸１０を通して連結される。
【００３２】
続いて、図８の工程図に示すように、接続口３内の閉塞部材１１が操作軸１０を介して縮小され接続口３の閉塞が解除されると、閉塞部材１１は操作軸１０を介して引上げられて直管５最上端の筒体１０内に再び収納される。
【００３３】
この状態で新たな副弁１２が閉塞されると、直管５より筒体９、操作軸１０および閉塞部材１１が直管５から取り外され、最後に図９に示す保守、点検された既存の空気弁２が取付けられて副弁の交換工程が完了する。
【００３４】
このように、空気弁用の副弁が水道本管の接続口に接続され、この副弁に空気弁が直管を介して接続される構成のものにおいて、空気弁を保守、点検等で交換する際、副弁が作動不良となった場合でも直管内の水道水を凍結させることにより、水道本管内の水道水の流れを遮断せずにしかも周囲を密閉ケースで密閉せずに簡単な操作で新規の副弁と交換することができる。
【００３５】
以上、本発明の実施形態を図面によって説明してきたが、具体的な構成はこれら実施形態に限られるものではなく、本発明の要旨を逸脱しない範囲における変更や追加があっても本発明に含まれる。例えば前述した実施例では、一般的に作業弁８を接続管５に取付けて、その上に筒体９を固定しているが、これは安全上の手段であり、作業弁８を使用せず筒体９を接続管５に直接固定してもよい。
【００３６】
【発明の効果】
本発明は次の効果を奏する。
【００３７】
（ａ）請求項１および請求項２によれば、副弁と空気弁との間に介装された接続管内の流体を凍結して遮断し、接続管に空気弁に代えて閉塞部材を装着した後、解凍後の接続管を通して接続口に挿入された閉塞部材で既設管の接続口が閉塞される。そのため、既設管の接続口に取付けられている作動不良となった副弁を、既設管内の流体が不断流のまま密閉ケース等で周囲を囲繞することなく、既設管の接続口に作動不良となった副弁に代えて新たな副弁を簡単な操作で取付け、この新たな副弁に接続管と空気弁を取付けることが可能となり、作業能率を向上させることができる。
【００３９】
また、新たな副弁に接続管を連結しておくことにより、将来、空気弁または副弁が故障した場合でも、接続管を凍結等により凍結させて接続管内の流体の流れを遮断することができるので、既設管内の流体が不断流のまま密閉ケース等で周囲を囲繞することなく容易に交換することができる。
【００４０】
（ｂ）請求項３によれば、操作軸に副弁、接続管、作業弁そして収納ケースを液密に挿通することができるので、既設管の接続口に挿入された閉塞部材の開閉操作を外部より容易に行うことができる。
【００４１】
【図面の簡単な説明】
【図１】本発明の一実施形態を示し、既設管の接続口に既設の副弁および接続管を介して空気弁が取付けらている状態を示す工程図である。
【図２】交換前の副弁と空気弁の間に介在される接続管に凍結装置を装着した状態を示す工程図である。
【図３】凍結された接続管から空気弁を取外して作業弁を取付けた状態を示す工程図である。
【図４】接続管に取付けられた作業弁に収納ケースを取付け、該筒体頂部より操作軸を挿通して収納ケース内に閉塞部材が収納されている状態を示す工程図である。
【図５】筒体内より閉塞部材を下降させ作業弁、解凍された接続管および既設の副弁を挿通させて既設管の接続口に挿入してこれを閉塞する状態を示す工程図である。
【図６】既設管の接続口を閉塞した状態で既設の副弁、接続管、作業弁および収納ケースを取外した状態を示す工程図である。
【図７】閉塞されている接続口に、操作軸を通して新規の副弁、接続管、収納ケースを連結した状態を示す工程図である。
【図８】接続口の閉塞を解除した閉塞部材を接続口より引上げて収納ケース内に収容した状態を示す工程図である。
【図９】既設の副弁に代えて接続口に取付けられた新たな副弁により閉塞された接続管に空気弁を取付けた状態を示す工程図である。
【符号の説明】
１    水道本管（既設管）
２    空気弁
３    接続口
４    副弁
５    直管（接続管）
６    筐体
７    冷媒供給管
８    作業弁
９    筒体（収納ケース）
１０    操作軸
１１    閉塞部材
１２    新規の副弁
１３    氷壁
【図１】
0003636800.tif 000002
【図２】
0003636800.tif 000003
【図３】
0003636800.tif 000004
【図４】
0003636800.tif 000005
【図５】
0003636800.tif 000006
【図６】
0003636800.tif 000007
【図７】
0003636800.tif 000008
【図８】
0003636800.tif 000009
【図９】
0003636800.tif 000010